(57)【特許請求の範囲】
【請求項１】
四隅の柱の上端間同士および下端間同士を梁で連結した直方体状の骨組みを備えてなる建物ユニットを上下左右に複数組み合わせて建てられるユニット式建物であって、
隣接する下階建物ユニットの左右に隣り合う天井梁の上面部に跨るように設けられ、これら天井梁同士を左右から挟持する水平挟持部材と、
隣接する下階建物ユニットの隣り合う天井梁間およびこれらの下階建物ユニットの上に隣接配置される上階建物ユニットの隣り合う床梁間における前記水平挟持部材が配置された水平位置とは異なる水平位置に配置され、前記隣り合う天井梁と隣り合う床梁同士とを鉛直方向に挟持する鉛直挟持部材とを備え、
前記鉛直挟持部材は、前記下階建物ユニットの隣り合う天井梁の間にはまるブロック部およびこのブロック部の両側からそれぞれ水平に延びる鍔部を有して前記天井梁の下面間に架けわたされる第１フランジ部材と、前記上階建物ユニットの隣り合う床梁の間にはまるブロック部およびこのブロック部の両側からそれぞれ水平に延びる鍔部を有して前記床梁の上面間に架けわたされる第２フランジ部材と、これらの第１、２フランジ部材同士を連結する連結部材とを備えて構成されていることを特徴とするユニット式建物。
【請求項２】
請求項１に記載のユニット式建物において、前記水平挟持部材は、複数個が均等配置されるとともに、前記隣接する建物ユニットの左右に隣り合う前記梁同士間の寸法を正常な寸法に保持する水平部と、この水平部の両端に前記梁側に延びこれらの梁のフランジ部を係止する係止部とを有していることを特徴とするユニット式建物。
【請求項３】
請求項１または２に記載のユニット式建物において、前記水平挟持部材の左右に隣り合う梁への取り付けは、前記挟持部材が前記隣り合う梁を挟持できる位置までこれらの梁を互いに引き寄せる引き寄せ治具により行われることを特徴とするユニット式建物。
【請求項４】
請求項１〜３のいずれかに記載のユニット式建物において、前記建物ユニットに設けられる床は、上下に所定間隔をおいて設けられた上側床面材および下側面材と、これらの面材の間に充填される遮音材とを含み形成される床パネルを備えて構成されることを特徴とするユニット式建物。
【発明の詳細な説明】
【０００１】
【発明の属する技術分野】
本発明は、四隅の柱の上端間同士および下端同士を梁で連結して直方体状の骨組みを有する建物ユニットを複数組み合わせたユニット式建物に関する。
【０００２】
【背景技術】
従来より、予め工場で製造した箱状の建物ユニットを建築現場で複数組み合わせることにより、建築されるユニット式建物が利用されている。このようなユニット式建物によれば、内装、外装および設備部材等の部品・部材が工場で建物ユニットに組み付けられてしまうので、建築現場での作業が大幅に軽減され、短期間で建築できるという利点がある。
【０００３】
このようなユニット式建物では、上階の居室および下階の居室とを仕切る床の遮音性を向上させるために、上下左右に隣接する建物ユニットの四本の梁を一体化し、各梁の自由な振動を抑制している（特公平６−１５７８５号公報）。
この公報によれば、隣接配置された二つの下階建物ユニットの互いに隣接する二本の天井梁にまたがって連結プレートが配置され、この連結プレートが当該二本の天井梁にリベットやボルトで接合され、これにより、下階建物ユニットの互いに隣接する二本の天井梁が一体化されている。
【０００４】
また、隣接配置された二つの上階建物ユニットの互いに隣接する二本の床梁に跨って連結プレートが配置され、この連結プレートが当該床梁にリベットやボルトで接合され、これにより、上階建物ユニットの互いに隣接する二本の床梁が一体化されている。
さらに、一体化された上階建物ユニット二本の床梁と、下階建物ユニットの二本の天井梁とがボルトで接合され、これにより、隣接する四本の梁が一体化され、床面荷重を支持する床梁の振動が抑制されるようになっている。
【０００５】
【発明が解決しようとする課題】
このようなユニット式建物では、床梁同士を連結する連結プレートは、リベットやボルトで床梁や天井梁に接合しなければならないので、ボルト用の穴開けををする必要がある等、作業性が悪く、現場作業に多くの手間がかかり、生産効率が上がらないという問題がある。また、床梁同士を連結する連結プレートは、床梁の上面に配置され、天井梁同士を連結する連結プレートは、当該天井梁の下面に配置されるので、建築現場で床梁および天井梁に連結プレートを接合するにあたり、床面および天井面に開口を設けておき、床梁および天井梁の連結部分を露出させておく必要がある。
このため、連結プレートで床梁同士および天井梁同士を連結した後、床面および天井面に形成された開口を塞ぐ必要があり、建築現場での作業が増え、工業化率が低下するという問題がある。
【０００６】
本発明の目的は、上下左右に隣接する建物ユニットの梁同士の連結を、連結プレート設置用の開口を設けることなく容易に行えるとともに、現場作業が少なくてすみ、かつ作業効率の向上を図れるようになるユニット式建物を提供することにある。
【０００７】
【課題を解決するための手段】
本発明の請求項１に記載の発明は、図面をも参照して説明すると、図５に示すように、四隅の柱４の上端間同士および下端間同士を梁５Ａで連結した直方体状の骨組みを備えてなる建物ユニット２を上下左右に複数組み合わせて建てられるユニット式建物１であって、隣接する下階建物ユニットの左右に隣り合う天井梁の上面部に跨るように設けられ、これら天井梁同士を左右から挟持する水平挟持部材２０と、隣接する下階建物ユニットの隣り合う天井梁間およびこれらの下階建物ユニットの上に隣接配置される上階建物ユニットの隣り合う床梁間における前記水平挟持部材が配置された水平位置とは異なる水平位置に配置され、前記隣り合う天井梁と隣り合う床梁同士とを鉛直方向に挟持する鉛直挟持部材３０とを備え、前記鉛直挟持部材３０は、前記下階建物ユニットの隣り合う天井梁の間にはまるブロック部３４およびこのブロック部３４の両側からそれぞれ水平に延びる鍔部３５を有して前記天井梁の下面間に架けわたされる第１フランジ部材３１と、前記上階建物ユニットの隣り合う床梁の間にはまるブロック部３４およびこのブロック部３４の両側からそれぞれ水平に延びる鍔部３５を有して前記床梁の上面間に架けわたされる第２フランジ部材３２と、これらの第１、２フランジ部材３１，３２同士を連結する連結部材３３とを備えて構成されていることを特徴とするものである。
【０００８】
本明細書中、挟持手段は、左右に隣接する建物ユニットの隣り合う天井梁同士を挟持する水平方向用のタイプ、およびこれらの天井梁同士と、上記建物ユニットの上に載置される上階建物ユニットの隣り合う床梁同士との間に架けわたされる鉛直方向用のタイプを含む概念である。また、水平方向用および鉛直方向用の挟持手段の形式は問わない。例えば、水平方向用の挟持手段は、隣り合う天井梁間にわたされるプレート部材の両端を折り曲げ、この折り曲げ部を引っかけることにより挟持することが考えられ、鉛直方向用の挟持手段としては、隣り合う天井梁の下面間に架けわたされるフランジ部材と、床梁の上面間に架けわたされるフランジ部材とを長尺のネジ棒で連結するタイプが好ましいが、ネジ棒に替えてコイルばねを使用してもよい。
【０００９】
このような本発明では、複数の建物ユニットを隣接させて配置した後、隣り合う梁同士を挟持手段によって挟持すれば、梁同士を連結できるので、連結プレート設置用の開口を設けることなく建物ユニットの梁同士を連結することができる。また、隣り合う梁同士を挟持手段によって挟持すればよいので、現場作業が少なくてすみ、かつ作業効率の向上を図れるようになる。
また、このような本発明では、上下のフランジ部材を連結部材で連結することにより上下方向に隣り合う梁５Ａ，６Ａ同士を連結できるので、構造が簡単であり、取り付け作業が容易である。
【００１１】
以上において、水平挟持部材は、左右に隣り合う梁同士を挟持できるものであれば形式を問わないが、所定巾の板部材を使用し、この板部材に梁同士を係止する折り曲げ部を形成することが好ましい。また、板部材に替えて丸棒あるいは角棒を使用してもよい。
【００１３】
本発明の請求項２に記載のユニット式建物は、図３に示すように、請求項１に記載のユニット式建物において、水平挟持部材２０は、複数個が均等配置されるとともに、隣接する建物ユニット２の左右に隣り合う梁５Ａ同士間の寸法を正常な寸法に保持する水平部２０Ａと、この水平部２０Ａの両端に梁５Ａ側に延びこれらの梁５Ａのフランジ部を係止する係止部２０Ｂとを有していることを特徴とするものである。
【００１４】
このような本発明では、水平挟持部材が水平部と係止部とを有する形状となっているので、製作が容易である。
【００１５】
本発明の請求項３に記載のユニット式建物は、図４，９に示すように、請求項１または２に記載のユニット式建物において、水平挟持部材２０の左右に隣り合う梁５Ａへの取り付けは、挟持部材２０が隣り合う梁５Ａを挟持できる位置までこれらの梁５Ａを互いに引き寄せる引き寄せ治具４０により行われることを特徴とするものである。
【００１６】
以上において、引き寄せ治具の形式は問わない。例えばフック部と係止部とを有し、操作部を回動させることで、フック部と係止部とが隣り合う梁のフランジ部を引き寄せることができるような形式、あるいは隣り合う梁のそれぞれのフランジ縁に押し当てる当接部材を設け、このうちの一方にねじ棒を連結させ、このねじ棒をハンドルで回すことにより、一方の当接部材を前進させ、これにより、隣り合う梁同士を引き寄せるような形式等を適用できる。
【００１７】
このような本発明では、引き寄せ治具によって隣り合う梁同士を引き寄せることができるので、水平挟持部材の取り付けが容易に行える。
【００２１】
このような本発明では、上下のフランジ部材を連結部材で連結することにより上下方向に隣り合う梁５Ａ，６Ａ同士を連結できるので、構造が簡単であり、取り付け作業が容易である。
【００２２】
本発明の請求項４に記載のユニット式建物は、図５に示すように、請求項１〜３のいずれかに記載のユニット式建物において、建物ユニットに設けられる床は、上下に所定間隔をおいて設けられた上側床面材６１および下側面材６２と、これらの面材６１，６２の間に充填される遮音材６３とを含み形成される床パネル６０を備えて構成されていることを特徴とするものである。
【００２３】
このような本発明では、高気密性が確保されるとともに、遮音性の向上を図ることができる。
【００２４】
本発明のユニット式建物を展開したユニット式建物の組立方法は、図９等に示すように、四隅の柱の上端間同士および下端間同士を梁で連結した直方体状の骨組みを備えてなる建物ユニットを複数組み合わせて建てられるユニット式建物であって、複数の下階建物ユニット２を所定位置に配置するとともに、互いに隣接する下階建物ユニット２の天井梁５Ａ同士を引き寄せ治具４０により引き寄せた後、これらの天井梁５Ａ同士を水平挟持部材２０で挟持するとともに、引き寄せ治具４０を取り外し、下階建物ユニット２の上に複数の上階建物ユニット３を配置し、隣接する下階建物ユニット２の隣り合う天井梁５Ａ間、およびこれらの下階建物ユニット２の上に隣接配置される上階建物ユニット３の隣り合う床梁６Ａ間に鉛直挟持部材３０を配置するとともに、この鉛直挟持部材３０により上下に隣り合う天井梁５Ａと床梁６Ａ同士を挟持することを特徴とするものである。
【００２５】
このような本発明では、複数の建物ユニットを隣接させて配置した後、隣り合う梁同士を、引き寄せ治具により引き寄せた後、挟持手段によって挟持すれば梁同士を連結でき、また、下階建物ユニットの上に上階建物ユニットを載せた後、鉛直挟持部材により上下に隣り合う天井梁と床梁同士を挟持することができるので、隣り合う梁同士の連結が容易にでき、かつ現場作業が少なくてすみ、作業効率の向上を図れるようになる。
【００２６】
【発明の実施の形態】
以下に、本発明の実施の一形態を図面に基づいて説明する。
図１に示すように、本実施形態に係るユニット式建物１は、基礎１Ａの上において、箱状に形成された複数の建物ユニット２，３を組み合わせた二階建ての建物である。建物ユニット２は、一階に配置されている下階建物ユニットであり、建物ユニット３は、二階に配置されている上階建物ユニットである。
【００２７】
建物ユニット２，３の各々は、図２に示されるように、四隅の柱４の上下端をそれぞれ４本づつの天井梁５および床梁６で連結した直方体状の骨組み７を備えたものである。骨組み７の天井梁５としては、長さの異なる長辺天井梁５Ａおよび短辺天井梁５Ｂの二種類が設けられ、フレーム７の床梁６としては、天井梁５と同様に、長さの異なる長辺床梁６Ａおよび短辺床梁６Ｂの二種類が設けられている。
【００２８】
対向する長辺天井梁５Ａの間には、天井を形成する天井面材（図示省略）を支持するために、複数本の天井小梁８が架けわたされている。
対向する長辺床梁６Ａの間には、床を形成する床面材（図示省略）を支持するために、複数の根太９が架けわたされている。
【００２９】
このようなユニット式建物１は、上階の居室および下階の居室とを仕切る床の遮音性を向上させるために、上下左右に隣接する建物ユニット２，３の梁５Ａ同士および６Ａ同士を一体化し、各梁５Ａ，６Ａの自由な振動が抑制されるようになっている。
すなわち、建物ユニット２，３の梁５Ａ，６Ａは、図５に示されるように、その左右方向の梁５Ａ，５Ａ同士および上下方向の梁５Ａ，６Ａ同士が挟持手段１０によって挟持されている。
【００３０】
挟持手段１０は、隣接する下階建物ユニット２の左右に隣り合う天井梁５Ａ同士を挟持・連結する水平挟持部材２０と、左右に隣接する下階建物ユニット２の隣り合う天井梁５Ａ同士、および二階建物ユニット３の隣り合う床梁６Ａ同士を挟持・連結する鉛直挟持部材３０とを含んで構成されている。
【００３１】
水平挟持部材２０は、図３にも示すように、所定巾寸法の板部材で形成されており、隣接する建物ユニット２，２の左右に隣り合う天井梁５Ａ同士間の寸法を正常な寸法に保持する水平部２０Ａと、この水平部２０Ａの両端に各天井梁５Ａ側に折り曲げ形成された係止部２０Ｂを有しており、この係止部２０Ｂにより、各天井梁５Ａのフランジ部５Ｂが係止されている。
【００３２】
鉛直挟持部材３０は、隣接する下階建物ユニット２の左右に隣り合う天井梁５Ａ，５Ａの下面間に架けわたされる水平な第１フランジ部材３１と、上階建物ユニット３の左右に隣り合う床梁６Ａ，６Ａの上面間に架けわたされる水平な第２フランジ部材３２と、これらの第１、２フランジ部材３１，３２同士を連結する連結部材である長ボルト３３とを備えて構成されている。
【００３３】
第１、２フランジ部材３１，３２は、図５，６に示すように、それぞれ平面四角形のブロック３４と、そのブロック３４の両側に繋がる鍔部３５を有する断面キャップ型に形成されており、鍔部３５は、左右の天井梁５Ａ，５Ａの下フランジ面間および床梁６Ａ，６Ａの上フランジ面間に架けわたされ、ブロック３４の対向する側面は、左右の天井梁５Ａ，５Ａ間および床梁６Ａ，６Ａ間にはまり込むようになっている。
【００３４】
また、鍔部３５において左右の天井梁５Ａ，５Ａ間にはまり込む側面と直交する両端には、補強用の立ち上がり部３５Ａが形成されている。
これらのフランジ部材３１，３２の各ブロック３４には、互いに向き合う方向に凹部３４Ｂが形成され、この凹部３４Ｂの上下方向に明けられた穴には、前記長ボルト３３が挿通されるようになっている。長ボルト３３の一端にはナット３６が螺合されており、このナット３６の締め付け力を調整することで、上下の梁５Ａ，６Ａ間の連結が調整されることになる。
【００３５】
このような水平挟持部材２０と鉛直挟持部材３０とは、隣接する建物ユニット同士に、例えば、図７に示すような配置で設けられる。
すなわち、水平挟持部材２０は、隣接する建物ユニット２，２の長辺方向に３箇所、鉛直挟持部材３０は、水平挟持部材２０の間に２箇所配置されており、全体が均等間隔となっている。
【００３６】
なお、建物ユニット２等は大きさが異なる複数種あるので、各挟持部材２０、３０の配置は、例えば、最も小さな建物ユニットでは、水平挟持部材２０を２箇所に配置し、鉛直挟持部材３０をその水平挟持部材２０の間に１箇所配置する等、それぞれの大きさに合わせて行えばよい。
また、隣接する建物ユニット２，２同士の接続は、それぞれの柱４が４本集まる角部では、４本の柱４を覆う大きさの第１の接続プレート３７を使用して行い、柱４が２本集まる角部では、２本の柱４を覆う大きさの第２の接続プレート３８を使用して行う。そして、これらの接続プレート３７，３８に明けられた穴を、それぞれの柱４に立設された連結ピン３９に挿通させることにより、各建物ユニット２，２等同士が接続されるようになっている。
【００３７】
図７に示すように、このような水平挟持部材２０の近傍には、スペーサ部材２５が設けられている。
すなわち、スペーサ部材２５は、水平挟持部材２０の板厚とほぼ等しい厚みを有し、ボルト２６により床梁６Ａ、天井梁５Ａに固定されている。そして、これにより、天井梁５Ａの上面と床梁６Ａの下面との間に生じた水平挟持部材２０等の板厚の分の隙間が部分的にも補填され、床梁６Ａにかかる負担が軽減されるようになっている。
【００３８】
隣接する建物ユニット２の隣り合う天井梁５Ａ間には、図３，８に示すように、遮音等のために、グラスウール２７が詰め込まれている。
また、天井梁５Ａの上面には、水平挟持部材２０をも覆う、例えばブチルゴム製の所定厚さの遮音シート１５が貼り付けられるようになっている。
【００３９】
図５に示すように、上階建物ユニット３の床梁６Ａには、ブラケット１２を介して複数本の前記根太９が取り付けられており、これらの根太９に高気密床パネル６０が取り付けられている。この床パネル６０は、根太９の上面に釘打ち等により取り付けられ建物の床を形成する上側床面材６１と、根太９の下面に釘打ち等により取り付けられる下側面材６２とを備えており、上下の面材６１，６２の間には、グラスウール等の遮音材６３が充填され、建物の遮音性の向上が図られている。
なお、下側面材６２の下面と床梁６Ａの下面の高さはほぼ同一面となっている。そのため、根太９の下面は、下側面材６２の厚さの分だけ削られている。
【００４０】
隣接する建物ユニット２の隣り合う天井梁５Ａ同士の引き寄せは、図４に示すような梁引き寄せ治具４０により行われる。
すなわち、梁引き寄せ治具４０は、一端に操作部４１、他端に係止部４２を有する長尺のレバー部材４３と、このレバー部材４３の中間部分に支軸４４を介して回動自在に取り付けられた係止部材４５とを備えて構成されている。そして、このような梁引き寄せ治具４０により、隣り合う天井梁５Ａ同士は、引き寄せられ、かつ、互いの間隔を正常な状態に保持されるとともに、今度は、その状態で取り付けられた水平挟持部材２０により、互いの間隔を正常な状態に保持されることになる。
【００４１】
レバー部材４３の係止部４２は、長尺のレバー部材本体４６からその長手方向に沿って直線的に延びる上面当接部４７と、本体４６の途中から分岐して斜め下方に延びる側面当接部４８とを備えている。このような係止部４２は、上面当接部４７を一方の梁５Ａの上面に当接させるとともに、側面当接部４８を一方の梁５Ａの側面のうち、他方の梁５Ａ側とは反対側の側面に当接させることにより、一方の梁５Ａの上部に係止できるようになっている。
【００４２】
また、係止部材４５は、一端にフック部５１を備えたフック部材５２と、このフック部材５２の他端およびレバー部材４３の中間部を挟持する一対の連結部材５３,５４とを備え、これらの連結部材５３,５４は、フック部材５２およびレバー部材４３にそれぞれ支軸５５を介して回動自在に取り付けられている。また、フック部材５２のフック部５１は、所定角度に屈曲した形状を有し、この屈曲部を引っかけることにより、他方の梁の上部に係止できるようになっている。
【００４３】
この梁引き寄せ治具４０では、操作部４１を握って、図９に示すように、レバー部材４３を図中時計回りの方向に回動させることにより、係止部４２とフック部５２とが互いに引き寄せられるようになっている。このとき、レバー部材４３における支軸４４から操作部４１までの距離は、支軸４４から係止部４２までの距離よりも大きくなっているので、レバー部材４３を回動させる力は少なくて済む。
【００４４】
次に、本実施形態のユニット式建物１の組立手順について、図９をも参照して説明する。
まず、複数の下階建物ユニット２，２を基礎１Ａ上の所定位置に配置し、次に、互いに隣接する下階建物ユニット２，２の天井梁同士を、図７の位置で、水平挟持部材２０により挟持する。この際、図９（Ａ）に示すように、梁引き寄せ治具４０のフック部５２を、一方の建物ユニット２における所定位置の天井梁５ａの上フランジの縁部に引っかけ、レバー部材４３の上面当接部４７を、他方の建物ユニット２の天井梁５Ａの上フランジの上面に押し当てるとともに、係止部４２をそのフランジの縁部に引っかける。
【００４５】
その状態で操作部４１を矢印方向に回動させる。そうすると、フック部５２と係止部４２とが互いに引き寄せられ、これに連れ、隣り合う天井梁５Ａ同士も互いに引き寄せられる。次いで、梁引き寄せ治具４０を取り付けたままで、図９（Ｂ）に示すように、３個の水平挟持部材２０をそれぞれ所定の位置に取り付ける。この際、両端の折り曲げ部２０Ｂを隣り合う天井梁５Ａの上面縁部にはめ込み、水平部２０Ａを各天井梁５Ａの上面に押し当てて取り付ける。また、天井梁５Ａ間にグラスウール等の遮音シール２７を詰め込む。
【００４６】
すべての水平挟持部材２０の取り付けを終了し、遮音シール２７を詰め込んだ後、図９（Ｃ）に示すように、梁引き寄せ治具４０を取り外す。この際、梁引き寄せ治具４０の操作部４１を支軸４４を支点にして上方側に回動し、フック部５２と係止部４２とを隣り合う天井梁５Ａの上フランジ部から取り外せばよい。
そして、図９（Ｄ）に示すように、隣り合う天井梁５Ａの上面に水平挟持部材２０をも覆って遮音シート１５を貼り付ける。
【００４７】
その後、下階建物ユニット２の上に所定の上階建物ユニット３を載せる。この際、下階建物ユニット２の柱４の上面に、所定の第１接続プレート３７および第２接続プレート３８を配置するとともに、下階建物ユニット２の柱４の連結ピン３９に上階建物ユニット３の柱４の下面の係合穴を係合させる。
【００４８】
次に、所定の位置で、下階建物ユニット２の天井梁５Ａの下面から、上階建物ユニット３の床梁６Ａの上面に架けわたして鉛直挟持部材３０を取り付ける。取り付けに際して、上下のフランジ部材３１，３２を、隣り合う天井梁５Ａ間および床梁６Ａ間にはめ込み、下側フランジ部材３１の凹部３４Ｂの穴から上側フランジ部材３２の凹部３４Ｂの穴に長ボルト３３を差し込んで、上側フランジ部材３２の凹部内３４Ｂでナット３６を螺合させて所定の強さで締め付ける。
なお、上階建物ユニット３の床梁６Ａには、予め工場で床パネル６０が取り付けられている。そして、これらの床パネル６０の端部間には、図示しないが、現場でジョイント床パネルが設けられるようになっている。
【００４９】
前述のような本実施形態によれば、次のような効果がある。
▲１▼隣接する下階建物ユニット２の隣り合う天井梁５Ａ同士は、その上面に跨って配置される水平狭持部材２０によって連結、一体化されるので、ボルトやリベット等を使う必要がなく、きわめて容易に連結することができ、現場作業にかかる手間が少なくて済む。
【００５０】
▲２▼隣接する下階建物ユニット２の隣り合う天井梁５Ａ同士は、その上面に跨って配置される水平狭持部材２０によって連結、一体化されるので、下階建物ユニット２の上方からの設置作業および接合作業が行なえ、下階建物ユニット２の天井梁５Ａ，５Ｂに天井面材が張り付けてあっても、その天井面に、水平狭持部材２０を設置するための開口を設ける必要がない。
【００５１】
▲３▼隣接する下階建物ユニット２の隣り合う天井梁５Ａ同士の連結，一体化は、その上面に跨って配置される水平狭持部材２０によって行われが、この水平狭持部材２０は、梁引き寄せ治具４０を使用し、隣り合う梁５Ａ同士を引き寄せた後取り付ければよいので、取り付け作業が容易である。
【００５２】
▲４▼上下方向に隣接する建物ユニット２、３の天井梁５Ａと床梁６Ａとの連結，一体化は、鉛直狭持部材３０によって行われ、この鉛直狭持部材３０は、第１、２のフランジ部材３１、３２を長ボルト３３で連結する構造となっているので、取り付けに際しては、床面材や天井面材のジョイント用面材を取り付ける前に行うことができ、従って、鉛直狭持部材３０を取り付けるための開口を設ける必要がない。
【００５３】
▲５▼鉛直狭持部材３０の第１、２フランジ部材３１、３２におけるブロック３４は、上下方向に隣接する建物ユニット２、３の天井梁５Ａ間および床梁６Ａ間に挿通可能となっているので、これらの間にはめ込んだ後、ナット３６を締め付ければよく、ブロック３４の側面３４Ａが位置決めの役割を兼ねることとなり、鉛直狭持部材３０の取り付けが容易である。
【００５４】
▲６▼床パネル６０は、上下の面材６１，６２の間に遮音材６３を充填して形成されているので、遮音性が向上し、かつ、高気密性を確保できる。従って、快適な住空間を得ることができる。
▲７▼下階建物ユニット２の天井梁５Ａにおいて水平挟持部材２０の近傍にはスペーサ部材２５が設けられているので、天井梁５Ａの上面と床梁６Ａの下面との間に生じた水平挟持部材２０等の板厚の分の隙間を部分的にも補填することができ、これにより、上階建物ユニット３の床梁６Ａにかかる負担を軽減することができる。
【００５５】
▲８▼水平狭持部材２０は、建物ユニット２等の長辺方向に３箇所、また、鉛直狭持部材３０は、それぞれの水平狭持部材２０の間に２箇所配置され、全体として均等となっているので、上下左右に隣接する建物ユニット２，３をバランスよく連結、一体化することができる。
▲９▼梁引き寄せ治具４０は、操作部４１を握ってレバー部材４３を回動させるだけで、係止部４２およびフック部５１、つまり、これらに係止した隣り合う天井梁５Ａ同士を互いに引き寄せることができるので、操作が簡単であり、これにより、その後の水平狭持部材２０の取り付けが迅速に行え、作業性の向上を図ることができる。
【００５６】
以上本発明について好適な実施形態を挙げて説明したが、本発明は、この実施形態の限られるものではなく、本発明の要旨を逸脱しない範囲において種々の改良並びに設計の変更が可能である。
例えば、ユニット式建物としては、二階建てのものに限らず、三フロア以上の階層を有する多層のユニット式建物でもよい。
また、上下左右に隣接する建物ユニットの互いに一体化される梁は、長辺梁に限らず、短辺梁でもよく、長辺梁および短辺梁の両方を一体化してもよい。
【００５７】
【発明の効果】
以上のように本発明によれば、複数の建物ユニットを隣接させて配置した後、隣り合う梁同士を挟持手段によって挟持すれば、梁同士を連結できるので、連結プレート設置用の開口を設けることなく建物ユニットの梁同士を連結することができる。また、隣り合う梁同士を挟持手段によって挟持すればよいので、現場作業が少なくてすみ、かつ作業効率の向上を図れるようになる。
【図面の簡単な説明】
【図１】本発明の一実施形態に係るユニット式建物を示す斜視図である。
【図２】本実施形態の建物ユニットの骨組みを示す斜視図である。
【図３】本実施形態の水平挟持部材と隣り合う梁とを示す斜視図である。
【図４】本実施形態の梁引き寄せ治具を示す斜視図である。
【図５】本実施形態の水平挟持部材と鉛直挟持部材との使用例を示す縦断面図である。
【図６】本実施形態の鉛直挟持部材を示す全体斜視図である。
【図７】本実施形態の水平挟持部材と鉛直挟持部材との配置を示す平面図である。
【図８】本実施形態の水平挟持部材近傍を示す斜視図である。
【図９】本実施形態の梁引き寄せ治具使用による水平挟持部材の取り付け手順を説明するための図である。
【符号の説明】
１  ユニット式建物
２  下階建物ユニット
３  上階建物ユニット
４  柱
５  天井梁
６  床梁
７  骨組み
１０  挟持部材
２０  水平挟持部材
３０  鉛直挟持部材
３１  第１フランジ部材
３２  第２フランジ部材
３３  連結部材である長ボルト
４０  梁引き寄せ治具
４２  係止部
５１  フック部
６０  床パネル
６１  上側床面材
６２  下側面材
６３  断熱材
【図１】
0004074005.tif 000002
【図２】
0004074005.tif 000003
【図３】
0004074005.tif 000004
【図４】
0004074005.tif 000005
【図５】
0004074005.tif 000006
【図６】
0004074005.tif 000007
【図７】
0004074005.tif 000008
【図８】
0004074005.tif 000009
【図９】
0004074005.tif 000010